(57)【特許請求の範囲】
【請求項１】
被照射体に向けて光を照射する光源部と、前記光源部により照射された前記被照射体を読取る読取部と、少なくとも第１反射ミラーを有して前記被照射体により反射された反射光を前記読取部に向けて反射させる反射部と、前記光源部から照射された前記光の一部を遮る第１の遮光部とを有し、
前記第１反射ミラーは、前記反射光を反射させる反射面と、前記反射面と直交する端面を備えており、
前記第１の遮光部は、前記第１反射ミラーの長手方向に沿って前記端面に向かって延びており、その先端部が前記端面に対して間隙を有して対向していることを特徴とする画像読取り装置。
【請求項２】
請求項１に記載の画像読取り装置であって、
前記第１の遮光部は、前記第１反射ミラーの長手方向に沿って前記端面に向かって延びるリブであることを特徴とする画像読取り装置。
【請求項３】
請求項１又は２に記載の画像読取り装置であって、
前記被照射体を走査する走査体は、筐体と、前記筐体に対して設けられた蓋状保持部材とからなり、前記光源部は前記蓋状保持部材に保持されており、前記第１の遮光部は前記蓋状保持部材に一体成型されたことを特徴とする画像読取り装置。
【請求項４】
請求項１から３のいずれか１つに記載の画像読取り装置であって、
前記第１反射ミラーは、前記被照射体からの前記反射光を最初に反射させることを特徴とする画像読取り装置。
【請求項５】
請求項１から４のいずれか１つに記載の画像読取り装置であって、
前記筐体には、他の反射ミラーが固定されており、前記間隙を通過した前記光の一部を遮る第２の遮光部を前記間隙と前記他の反射ミラーの反射面との間に設けたことを特徴とする画像読取り装置。
【請求項６】
請求項１から５のいずれか１つに記載の画像読取り装置であって、
前記光源部は、透光性を有する長尺な導光部材と、前記導光部材の長手方向の端部側に配置された発光素子とを備えることを特徴とする画像読取り装置。
【請求項７】
請求項１から５のいずれか１つに記載の画像読取り装置と、
前記画像読取り装置により読取られた前記被照射体の画像を記録用紙に印刷する印刷部とを備えたことを特徴とする画像形成装置。
【発明の詳細な説明】
【技術分野】
【０００１】
本発明は、原稿等を読取る画像読取り装置、及びそれを備えた画像形成装置に関する。
【背景技術】
【０００２】
この種の画像読取り装置においては、ガラス上で原稿を副走査方向に搬送しつつ、ガラスの下方で、光源部により原稿を照明して、ＣＣＤ(Charge Coupled Device)等の撮像
素子により原稿を主走査方向に繰り返し走査して読取ったり、あるいはガラス上に原稿を位置決めして載置し、ガラスの下方で、光源部及び撮像素子等を副走査方向に移動させつつ、光源部により原稿を照明して、撮像素子により原稿を主走査方向に繰り返し走査して読取ったりしている。また、原稿を照明する光源部としては、種々のものがあり、蛍光灯やＬＥＤアレイ等が用いられている。
【０００３】
このような画像読み取り装置では、原稿を照明する光を光源等が発光し、導光部材等を経由して原稿面に光が照射され、原稿面で反射された反射光（読取光）を所定の光路に沿ってＣＣＤ等の撮像素子まで到達させて撮像している。このとき、想定された光路以外から撮像素子に到達してしまう光（いわゆる迷光）が存在すると、撮像した原稿画像にノイズが生じることや二重映りが発生するなどの悪影響を与えてしまう。
【０００４】
迷光による悪影響を低減するために特許文献１では、光源に近接配置された導光体の正規の出射角度範囲から外れて反射鏡に入射してしまう光を遮るため、導光体の近傍に遮光板を配置して迷光を防止している。また、特許文献２では、原稿を載置するコンタクトガラスと光源との間に弾性遮光部材を設け、主走査方向に形成されたスリット状の開口部から原稿に光を照射するとともに、原稿から反射された読取光をスリット状開口部からミラーに入射させて撮像素子に光を到達させている。
【先行技術文献】
【特許文献】
【０００５】
【特許文献１】特開２０１３−１３８３８８号公報
【特許文献２】特開２００４−１５７１７４号公報
【発明の概要】
【発明が解決しようとする課題】
【０００６】
しかしながら特許文献１では、光源側の導光板からミラーに直接入射する迷光を防止することはできても、原稿で反射された反射光（読取光）のうち想定していた光路以外からミラーに入射して撮像素子まで到達してしまう迷光を遮ることはできず、迷光対策が十分であるとは言えなかった。
【０００７】
また、特許文献２では、光源を保持するフレームとミラーとが接触しているため、ミラーの反射面の一部をフレームが覆ってしまい、ミラーに読取光が入射する領域が狭くなり読取光にケラレが発生してしまうおそれや、動作時の熱でフレームが熱変形した場合にミラーの光軸がずれてしまうおそれがあった。さらに、特許文献２においてケラレや光軸ずれを防止するためにミラーとフレームとを離間させた場合には、その間隙からの迷光を防ぐことが困難であり、ミラーの反射面以外である側面に入射した光も迷光となってしまうという問題が生じることとなる。
【０００８】
特に、光源ユニットと読取ユニットが一体化したキャリッジ構造の場合には、光源ユニットと読取ユニットとが分離している構造よりも、原稿からの読取光を取り入れるスリットから撮像素子であるＣＣＤまでの距離が近く、撮像素子まで読取光を反射させる反射光学系の配置や光路も複雑であり、十分な迷光対策をとることが困難であった。
【０００９】
そこで、本発明は、上記従来の問題点に鑑みなされたものであり、フレームとミラーとの干渉による光軸ずれやミラー反射面側での読取光のケラレを防止しつつ、有効に迷光を防止することが可能な画像読取り装置及び画像形成装置を提供することを目的とする。
【課題を解決するための手段】
【００１０】
上記課題を解決するために、本発明の画像読取り装置は、被照射体に向けて光を照射する光源部と、前記光源部により照射された前記被照射体を読取る読取部と、少なくとも第１反射ミラーを有して前記被照射体により反射された反射光を前記読取部に向けて反射させる反射部と、前記光源部から照射された前記光の一部を遮る第１の遮光部とを有し、前記第１反射ミラーは、前記反射光を反射させる反射面と、前記反射面と直交する端面を備えており、前記第１の遮光部は、前記第１反射ミラーの長手方向に沿って前記端面に向かって延びており、その先端部が前記端面に対して間隙を有して対向している。
【００１１】
このような本発明の画像読取り装置では、第１反射ミラーの端面に第１の遮光部が対向していることにより、反射面側での読取光のケラレを防止しつつ第１反射ミラーの端面から迷光が入り込むことを抑制できる。また、端面と第１の遮光部との間に間隙を有していることから、第１反射ミラーと第１の遮光部とが干渉せず、衝撃が加わった時や熱によってフレームが変形した場合にも、第１反射ミラーの変形や脱落を規制し、第１反射ミラーの光軸ずれを防止できる。
【００１２】
また、本発明の画像読取り装置においては、前記第１の遮光部は、前記第１反射ミラーの長手方向に沿って前記端面に向かって延びるリブである。
また、本発明の画像読取り装置においては、前記被照射体を走査する走査体は、筐体と、前記筐体に対して設けられた蓋状保持部材とからなり、前記光源部は前記蓋状保持部材に保持されており、前記第１の遮光部は前記蓋状保持部材に一体成型されている。
【００１３】
このように第１の遮光部を蓋状保持部材に一体成型することで、簡便かつ高精度に第１反射ミラーと第１の遮光部とを位置合わせでき、さらに、蓋状保持部材の機械的強度の向上を図ることができる。また、蓋状保持部材の成型時に一括して第１の遮光部を成型できることから、製造工程の簡略化や部品数の低減を図ることもできる。
【００１４】
更に、本発明の画像読取り装置においては、前記第１反射ミラーは、前記被照射体からの前記反射光を最初に反射させるものである。
【００１５】
この場合は、被照射体である原稿に最も近い位置に配置されている第１反射ミラーの端面に対向して第１の遮光部が設けられることになり、外部からの迷光を効果的に遮ることが可能となる。
【００１６】
また、本発明の画像読取り装置においては、前記筐体には、他の反射ミラーが固定されており、前記間隙を通過した前記光の一部を遮る第２の遮光部を前記間隙と前記他の反射ミラーの反射面との間に設けている。
【００１７】
このように第２の遮光部を設けることにより、第１反射ミラーの端面と第１の遮光部との間隙を通過した迷光を遮ることができ、より一層迷光を防止できる。
【００１８】
また、本発明の画像読取り装置においては、前記光源部は、透光性を有する長尺な導光部材と、前記導光部材の長手方向の端部側に配置された発光素子とを備える。
【００１９】
この場合、光源部の小型化を図りつつ光を均一に原稿に対して照射することができる。
【００２０】
一方、本発明の画像形成装置は、上記本発明の画像読取り装置と、前記画像読取り装置により読取られた前記被照射体の画像を記録用紙に印刷する印刷部とを備えている。
【００２１】
このような画像形成装置においても、上記本発明の画像読取り装置と同様の作用効果を奏することができる。
【発明の効果】
【００２２】
本発明では、第１反射ミラーの端面と第１の遮光部材とが間隙を有して対向している。したがって、反射面側での読取光のケラレを防止しつつ第１反射ミラーの端面から迷光が入り込むことを抑制できる。また、装置に衝撃が加わった時や熱によってフレームが変形した場合にも、第１反射ミラーの変形や脱落を規制し、第１反射ミラーの光軸ずれを防止できる。これにより、フレームとミラーとの干渉による光軸ずれやミラー反射面側での読取光のケラレを防止しつつ、十分に迷光を防止することが可能な画像読取り装置及び画像形成装置を提供できる。
【図面の簡単な説明】
【００２３】
【図１】本発明の画像読取り装置の第１実施形態を備えた画像形成装置を示す断面図である。
【図２】図１の画像読取り装置及び原稿搬送装置を示す断面図である。
【図３】走査ユニットを拡大して示す断面図である。
【図４】走査ユニット内の読取光と迷光とを示す部分拡大断面である。
【図５】走査ユニットを示す斜視図である。
【図６】走査ユニットの端部を拡大して示す斜視図である。
【図７】第２実施形態の走査ユニットを拡大して示す断面図である。
【図８】第２実施形態の走査ユニット内の読取光と迷光とを示す部分拡大断面図である。
【発明を実施するための形態】
【００２４】
（第１実施形態）
以下、本発明の実施形態を図面に基づいて説明する。
【００２５】
図１は、本発明の画像読取り装置の第１の実施形態を備えた画像形成装置を示す断面図である。この画像形成装置１は、原稿を読取って記録用紙に印刷する複写機能を有しており、画像読取り装置２、原稿搬送装置３、印刷部４、及び給紙カセット５等を備えている。
【００２６】
この画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部４においては、現像装置１２、感光体ドラム１３、ドラムクリーニング装置１４、及び帯電器１５を各色に応じた４種類のトナー像を形成するためにそれぞれ４個ずつ設け、それぞれをブラック、シアン、マゼンタ、及びイエローに対応付けて、４つの画像ステーションＰａ、Ｐｂ、Ｐｃ、Ｐｄを構成している。
【００２７】
各画像ステーションＰａ、Ｐｂ、Ｐｃ、Ｐｄのいずれにおいても、ドラムクリーニング装置１４により感光体ドラム１３表面の残留トナーを除去及び回収した後、帯電器１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００２８】
引き続いて、中間転写ベルト２１を矢印方向Ｃに周回移動させつつ、ベルトクリーニング装置２５により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００２９】
中間転写ベルト２１と２次転写装置２６の転写ローラ２６ａとの間にはニップ域が形成されており、用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ３１と加圧ローラ３２との間に記録用紙を挟み込んで加熱及び加圧し、記録用紙上のカラーのトナー像を定着させる。
【００３０】
一方、記録用紙は、ピックアップローラ３３により給紙カセット５から引出されて、用紙搬送経路Ｒ１を通じて搬送され、２次転写装置２６や定着装置１７を経由し、排紙ローラ３６を介して排紙トレイ３９へと搬出される。この用紙搬送経路Ｒ１には、記録用紙を一旦停止させて、記録用紙の先端を揃えた後、中間転写ベルト２１と転写ローラ２６ａ間のニップ域でのカラーのトナー像の転写タイミングに合わせて記録用紙の搬送を開始するレジストローラ３４、記録用紙の搬送を促す各搬送ローラ３５、排紙ローラ３６等が配置されている。
【００３１】
また、記録用紙の表面だけではなく、裏面の印字を行う場合は、記録用紙を排紙ローラ３６から反転経路Ｒｒへと逆方向に搬送して、記録用紙の表裏を反転させ、記録用紙をレジストローラ３４へと再度導き、記録用紙の表面と同様に、記録用紙の裏面に画像を記録して定着し、記録用紙を排紙トレイ３９へと搬出する。
【００３２】
次に、第１実施形態の画像読取り装置２について説明する。図２は、画像読取り装置２及び原稿搬送装置３を示す断面図である。
【００３３】
図２において、原稿搬送装置３は、その奥の一辺をヒンジ（図示せず）により下側の画像読取り装置２の一辺に枢支され、その手前側を上下させることにより開閉される。原稿搬送装置３を開いたときには、画像読取り装置２の原稿載置ガラス４１が開放される。
【００３４】
画像読取り装置２は、原稿載置ガラス４１、原稿読取りガラス４２、走査ユニット４３、及び移動ユニット４４等を備えている。移動ユニット４４は、走査ユニット４３を副走査方向Ｙにガイドするガイドシャフト４８と、走査ユニット４３を副走査方向Ｙに移動させて位置決めする駆動部（図示せず）とを備えている。
【００３５】
走査ユニット４３は、光源部、結像レンズ４６、ＣＣＤ（Charge Coupled Device）４７、及び反射部を構成する第１〜第５反射ミラー５１〜５５等を備え、移動ユニット４４により原稿載置ガラス４１及び原稿読取りガラス４２のいずれかの下方に移動され、原稿載置ガラス４１上に載置された原稿（被照射体）を読取ったり（第１読取りモード）、原稿読取りガラス４２上で搬送される原稿（被照射体）を読取ったりする（第２読取りモード）。
【００３６】
第１読取りモードでは、走査ユニット４３を移動ユニット４４により原稿載置ガラス４１の下方に移動させ、原稿搬送装置３を開いて、原稿を原稿載置ガラス４１上に載置し、原稿搬送装置３を閉じる。そして、走査ユニット４３を移動ユニット４４により副走査方向Ｙに原稿サイズに応じた距離だけ一定速度で移動させながら、原稿載置ガラス４１上の原稿を光源部によって照明し、その反射光を第１〜第５反射ミラー５１〜５５により順次反射して図中実線で表示される光路に沿って結像レンズ４６へと導く。結像レンズ４６は、原稿からの反射光をＣＣＤ４７に集光して、原稿表面の画像をＣＣＤ４７（読取部）上に結像させる。ＣＣＤ４７は、原稿表面の画像を繰り返し主走査方向Ｘに走査して、原稿表面の画像を読取る。
【００３７】
第２読取りモードでは、走査ユニット４３を移動ユニット４４により原稿読取りガラス４２の下方に移動させて位置決めし、原稿搬送装置３により、原稿を原稿載置トレイ５６から引き出して原稿読取りガラス４２上で副走査方向Ｙに搬送し原稿排紙トレイ５７へと排出させる。原稿が原稿読取りガラス４２上を通過するときに、走査ユニット４３の光源部により原稿表面を原稿読取りガラス４２を介して照明し、原稿表面からの反射光を走査ユニット４３の第１〜第５反射ミラー５１〜５５により順次反射して図中実線で表示される光路に沿って結像レンズ４６へと導き、原稿表面からの反射光を結像レンズ４６によりＣＣＤ４７に集光させて、原稿表面の画像をＣＣＤ４７上に結像させ、ＣＣＤ４７により原稿表面の画像を主走査方向Ｘに繰返し走査して、原稿表面の画像を読取る。
【００３８】
次に、走査ユニット４３の光源部について説明する。光源部では、主走査方向Ｘに延びるスリットＳｔの両側に各導光部材７１を配置し、各導光部材７１の両端の光入射面にそれぞれのＬＥＤ（発光素子）を配置している（図示せず）。ＬＥＤの代わりに、他の種類の半導体素子や電球等を適用しても構わない。
【００３９】
導光部材７１は、透光性を有する略円柱状であって長尺な透光性本体からなり、透光性本体の長手方向の両端にそれぞれの光入射面が形成され、透光性本体の長手方向に沿う側面に光出射面７１ａが形成され、透光性本体の長手方向に沿う光出射面と対向する他の側面に光反射面が形成されている。この導光部材７１は、アクリル樹脂を金型で成形することにより形成される。
【００４０】
このような構成の光源部において、導光部材７１の両端の光入射面にそれぞれのＬＥＤが対峙していることから、各ＬＥＤから出射された光は、導光部材７１の光入射面に入射し、導光部材７１の内部で導光され、光出射面から直接出射されるか、光反射面で反射されて光出射面から出射される。
【００４１】
各導光部材７１の光出射面は、原稿載置ガラス４１又は原稿読取りガラス４２を介して原稿の同一箇所に向けられており、各導光部材７１の光出射面から出射されたそれぞれの光が原稿の同一箇所に入射して、原稿のその箇所が照明され、原稿のその箇所で反射された反射光が読取光としてスリットＳｔを通じて走査ユニット４３の内側に導かれ、読取光が第１〜第５反射ミラー５１〜５５により順次反射され結像レンズ４６を通じてＣＣＤ４７に入射し、ＣＣＤ４７により原稿表面の画像が読取られる。
【００４２】
次に、走査ユニット４３並びに光源部の構成を更に詳しく説明する。図３は、走査ユニット４３を示す断面図であり、図４は光源部の遮光部近傍の部分拡大断面図である。また、図５は、走査ユニット４３を示す斜視図であり、図６は、走査ユニット４３の端部を拡大して示す斜視図である。
【００４３】
図３乃至図６に示すように走査ユニット４３は、上側が開口部となっている筐体６１と、筐体６１の上側の開口部で開閉可能に設けられた蓋状保持部材６２と、蓋状保持部材６２に設けられた光源部と、筐体６１の長手方向（主走査方向Ｘ）に沿う側壁に設けられたＣＣＤ基板６３とを有している。
【００４４】
筐体６１の内部には、結像レンズ４６及び第１〜第５反射ミラー５１〜５５が設けられている。また、蓋状保持部材６２は、筐体６１の上側開口部を概ね覆い、光源部を保持している。更に、ＣＣＤ基板６３には、ＣＣＤ４７が実装され、ＣＣＤ４７の受光面が筐体６１の側壁に形成されたスリット（図示せず）を通じて筐体６１の内側を臨んでいる。
【００４５】
蓋状保持部材６２には、主走査方向Ｘに長い２本の嵌合溝６２ａと、各嵌合溝６２ａの間のスリットＳｔとが形成されており、各嵌合溝６２ａにそれぞれ略円柱形状の導光部材７１が嵌め込まれている。したがって、各嵌合溝６２ａも部分円柱側面の形状をなしている。光源部では、各ＬＥＤ（図示せず）の光を導光部材７１の両端である光入射面に入射させ、各導光部材７１の一方の側面である光出射面から光を出射して、この光を原稿載置ガラス４１又は原稿読取りガラス４２を介して原稿に照射する。原稿で反射された読取光は、原稿載置ガラス４１又は原稿読取りガラス４２を透過し、蓋状保持部材６２のスリットＳｔを通じて筐体６１の内側に導かれ、第１〜第５反射ミラー５１〜５５で順次反射され、結像レンズ４６を通じてＣＣＤ４７に入射する。
【００４６】
光源部は、２本の導光部材７１及び４個のＬＥＤの他に、ＬＥＤが２個ずつ実装された２枚のＬＥＤ基板６４と、各ＬＥＤ基板６４の外側表面に重ねて設けられた２個の放熱板とを有している。
【００４７】
また、各導光部材７１は、蓋状保持部材６２の各遮蔽部６２ｂ、６２ｃの嵌合溝６２ａに嵌め込まれて保持され、各導光部材７１の両端部が蓋状保持部材６２の両側の各連結部まで延在している。そして、２本の導光部材７１の光入射面が連結部の各開口孔に配置され、ＬＥＤ基板６４及び放熱板が連結部に取り付けられ、ＬＥＤ基板６４上の各ＬＥＤが連結部の各開口孔に配置されている。従って、２本の導光部材７１の両端部、各ＬＥＤ、２枚のＬＥＤ基板６４及び２個の放熱板は、筐体６１の外側に配置されている。
【００４８】
第１〜第５反射ミラー５１〜５５は、ガラスの一面に銀蒸着で反射膜を形成したものであり、反射膜が形成された反射面と、反射面に略直交する端面と、反射面に対向する裏面を有しており、その断面形状は略矩形状で角部が面取り加工されている。また第１〜第５反射ミラー５１〜５５は、それぞれ図示しないミラーホルダによって筐体６１に固定されており、原稿によって反射された読取光の光路上に所定位置及び所定角度で配置されている。第１反射ミラー５１は、蓋状保持部材６２のスリットＳｔを通過してきた読取光が最初に入射するミラーであり、スリットＳｔの略直下に位置している。
【００４９】
図３および図４に示すように、蓋状保持部材６２の嵌合溝６２ａには、導光部材７１が嵌め込まれているとともに、筐体６１内部に露出する側である裏面に導光部材７１の長手方向に沿ってリブ形状の第１の遮光部８１ａが一体形成されている。第１の遮光部８１ａは、その長手方向の長さが第１反射ミラー５１の長手方向の長さと略同一であり、リブ形状の先端部は第１反射ミラー５１の端面と間隙を有して対向している。対向している位置は、端面と反射面との面取りされた角部近傍とされている。したがって第１の遮光部８１ａの先端部は、第１反射ミラー５１の反射面を覆うことがなく、第１反射ミラー５１と非接触となっている。
【００５０】
第１の遮光部８１ａの先端部が第１反射ミラー５１の反射面を覆うことがないため、読取光が第１反射ミラー５１の反射面に入射するのを妨げず、読取光にケラレが発生することを防止できる。また、第１反射ミラー５１の端面に迷光が入射してしまうと、端面から入射した迷光が第１反射ミラー５１のガラス内部を通過することになり、ミラー内部で反射や屈折した迷光が筐体６１内部に進入してしまう。しかし本発明では、第１反射ミラー５１の反射面に近い角部近傍に第１の遮光部８１ａが対向していることから、スリットＳｔから入った迷光８２ａが第１反射ミラー５１の端面に入射して筐体６１内に進入しＣＣＤ４７まで到達することを防止できる。このような迷光対策は、第１反射ミラー５１の長さと、第１の遮光部８１ａの長さとが略同一であることで、第１反射ミラー５１の長手方向全体にわたって迷光を遮ることとなるため、より一層の効果を得ることができる。
【００５１】
さらに、第１の遮光部８１ａの先端部と第１反射ミラー５１の端面との間に間隙が形成されて非接触とされることにより、画像形成装置や画像読取り装置の稼働時や搬送時において、外部から衝撃が加わることや熱によるフレーム変形などのアクシデントが発生した場合にも、第１反射ミラー５１と第1の遮光部８１ａとが干渉することを防止でき、第１反射ミラー５１の変形や脱落で第１反射ミラーの光軸がずれてしまう可能性を低減できる。間隙の具体的な寸法としては、例えば約０．２ｍｍであるがこれに限定されず、第１反射ミラー５１と第１の遮光部８１ａの先端部とが非接触であり、かつ、間隙を通過してしまう迷光を有効に遮ることが可能であればよい。
【００５２】
蓋状保持部材６２と第１の遮光部８１ａとは一体成型されていることから、第１の遮光部８１ａを別部材として構成する場合よりも製造工程を簡略化でき、部品点数の低減も図ることができる。また、第１反射ミラー５１は筐体６１に対して位置決めして固定されていることから、蓋状保持部材６２を筐体６１に取り付けるだけで、第１反射ミラー５１の端面と第１の遮光部８１ａとの位置合わせをすることができ、簡便かつ高精度に位置合わせをすることが可能となる。
【００５３】
また、第１の遮光部８１ａをリブ形状としていることから、蓋状保持部材６２の型取りおよび型からの抜き取りも容易であり、部分円柱側面形状をなしている嵌合溝６２ａの機械的強度を向上させてフレーム変形を防止する効果も得られる。
【００５４】
図５および図６に、走査ユニット４３の斜視図として、筐体６１と蓋状保持部材６２とを組み合わせた状態を原稿載置ガラス４１側から示している。各嵌合溝６２ａに導光部材７１が嵌め込まれており、二つの導光部材７１の間にあるスリットＳｔからは、第１反射ミラー５１と第１の遮光部８１ａが臨んでいる。第１反射ミラー５１の端面と第１の遮光部８１ａの先端部との間隙は、迷光を遮断できる程度に狭隘なものであるので、ここでは図示していない。
【００５５】
第１反射ミラー５１は、スリットＳｔの直下に位置しており、光源部の導光部材７１の光出射面から照射されて被照射体である原稿で反射された読取光は、スリットＳｔから筐体内部に入って最初に第１反射ミラー５１によって第２反射ミラー５２の方向へと反射される。同様に、原稿から反射された読取光以外の迷光も、スリットＳｔを通過して最初に第１反射ミラー５１に到達する。したがって、第１反射ミラー５１は第２〜第５反射ミラー５２〜５５と比較すると、迷光の影響が大きくなり、迷光対策を十分にする必要が生じる。
【００５６】
本発明では、上述したように被照射体である原稿に最も近い位置に配置されている第１反射ミラー５１の端面に対向して第１の遮光部８１ａが設けられ、第１の遮光部８１ａの長さは第１反射ミラー５１の長さと略同一である。したがって図４に示したように、スリットＳｔを通過して第１反射ミラー５１の端面に到達する迷光８２ａを第１の遮光部８１ａで効果的に遮ることができる。また、第１反射ミラー５１の端面と第１の遮光部８１ａとの間隙が狭いものであることから、開口部であるスリットＳｔから筐体内部への埃の進入を防止し、筐体６１内部への埃付着による光学特性の悪化を防止するという効果を得ることもできる。
【００５７】
このように第１の実施形態では、第１反射ミラー５１の端面と第１の遮光部８１ａとが間隙を有して対向している。したがって、反射面側での読取光のケラレを防止しつつ第１反射ミラー５１の端面から迷光８２ａが入り込むことを抑制できる。また、装置に衝撃が加わった時や熱によってフレームが変形した場合にも、第１反射ミラー５１の変形や脱落を規制し、第１反射ミラー５１の光軸ずれを防止できる。これにより、フレームとミラーとの干渉による光軸ずれやミラー反射面側での読取光のケラレを防止しつつ、十分に迷光を防止することが可能な画像読取り装置及び画像形成装置を提供できる。
【００５８】
（第２実施形態）
図７，８は、本発明の画像形成装置における画像読取り装置の第２実施形態を示す断面図である。本実施形態では、蓋状保持部材６２の嵌合溝６２ａ裏面側に、第１の遮光部８１ａに加えて第２の遮光部８１ｂを設けている。他の部材については第１実施形態と同様であるため説明を省略する。
【００５９】
図７および図８に示すように、蓋状保持部材６２の嵌合溝６２ａには、導光部材７１が嵌め込まれているとともに、筐体６１内部に露出する側である裏面に導光部材７１の長手方向に沿ってリブ形状の第１の遮光部８１ａおよび第２の遮光部８１ｂが一体形成されている。
【００６０】
第１の遮光部８１ａは、その長手方向の長さが第１反射ミラー５１の長手方向の長さと略同一であり、リブ形状の先端部は第１反射ミラー５１の端面と間隙を有して対向している。対向している位置は、端面と反射面との面取りされた角部近傍とされている。したがって第１の遮光部８１ａの先端部は、第１反射ミラー５１の反射面を覆うことがなく、第１反射ミラー５１と非接触となっている。
【００６１】
第２の遮光部８１ｂは、リブ形状の高さが第１の遮光部８１ａよりも大きく、第１反射ミラー５１の反射面とは反対側である背面側に位置し、第１反射ミラー５１と第３の反射ミラー５３との間で図中の鉛直下方に延伸して形成されている。第２の遮光部８１ｂのリブ形状の高さとしては、少なくとも、第１反射ミラー５１と第１の遮光部８１ａの間隙から第３反射ミラー５３とを結ぶ直線を遮る程度の高さを有しており、第３反射ミラー５３から第４反射ミラー５４に反射される読取光の光路を遮らない高さの範囲となっている。したがって、第２の遮光部８１ｂも第１反射ミラー５１および第３反射ミラー５３の反射面を覆うことがなく、第１反射ミラー５１と非接触となっている。
【００６２】
本実施の形態では、第１の遮光部８１ａおよび第２の遮光部８１ｂの先端部がそれぞれ第１反射ミラー５１および第３反射ミラー５３の反射面を覆うことがないため、読取光が第１反射ミラー５１および第３反射ミラー５３の反射面に入射するのを妨げず、読取光にケラレが発生することを防止できる。
【００６３】
また、第１反射ミラー５１の端面に迷光が入射してしまうと、端面から入射した迷光が第１反射ミラー５１のガラス内部を通過することになり、ミラー内部で反射や屈折した迷光が筐体６１内部に進入してしまう。しかし本発明では、第１反射ミラー５１の反射面に近い角部近傍に第１の遮光部８１ａが対向していることから、スリットＳｔから入った迷光８２ａが第１反射ミラー５１の端面に入射して筐体６１内に進入しＣＣＤ４７まで到達することを防止できる。このような迷光対策は、第１反射ミラー５１の長さと、第１の遮光部８１ａの長さとが略同一であることで、第１反射ミラー５１の長手方向全体にわたって迷光を遮ることとなるため、より一層の効果を得ることができる。
【００６４】
さらに、第１の遮光部８１ａの先端部と第１反射ミラー５１の端面との間に間隙が形成されて非接触とされ、第２の遮光部８１ｂも第１反射ミラー５１と非接触とされることにより、画像形成装置や画像読取り装置の稼働時や搬送時において、外部から衝撃が加わることや熱によるフレーム変形などのアクシデントが発生した場合にも、第１反射ミラー５１と第１の遮光部８１ａおよび第２の遮光部８１ｂとが干渉することを防止でき、第１反射ミラー５１の変形や脱落で第１反射ミラーの光軸がずれてしまう可能性を低減できる。間隙の具体的な寸法としては、例えば約０．２ｍｍであるがこれに限定されず、第１反射ミラー５１と第１の遮光部８１ａの先端部とが非接触であり、かつ、間隙を通過してしまう迷光を有効に遮ることが可能であればよい。
【００６５】
蓋状保持部材６２と第１の遮光部８１ａおよび第２の遮光部８１ｂとは一体成型されていることから、第１の遮光部８１ａや第２の遮光部８１ｂを別部材として構成する場合よりも製造工程を簡略化でき、部品点数の低減も図ることができる。また、第１反射ミラー５１は筐体６１に対して位置決めして固定されていることから、蓋状保持部材６２を筐体６１に取り付けるだけで、第１反射ミラー５１の端面と第１の遮光部８１ａとの位置合わせをすると同時に、第２の遮光部８１ｂを間隙と第３反射ミラー５３との間に配置することができ、簡便かつ高精度に位置合わせをすることが可能となる。
【００６６】
また、第１の遮光部８１ａおよび第２の遮光部８１ｂをリブ形状としていることから、蓋状保持部材６２の型取りおよび型からの抜き取りも容易であり、部分円柱側面形状をなしている嵌合溝６２ａの機械的強度を向上させてフレーム変形を防止する効果も得られる。
【００６７】
第２の遮光部８１ｂの長手方向の長さは、第１反射ミラー５１および第１の遮光部８１ａの長さよりも短くてよい。これは、本発明の画像読取り装置の反射部を構成する第１〜第５反射ミラー５１〜５５が、読取光の光路に沿って徐々に長手方向の長さが短くなる構成であることによる。つまり、第３反射ミラー５３の長さは第１反射ミラー５１よりも短いことから、第２の遮光部８２ｂの長さは第３反射ミラー５３の反射面に入射してしまう迷光を遮ることができる程度の長さでよく、第１反射ミラー５１の長さほどは必須とされない。しかし、迷光を十分に遮るためには、可能な限り長いほうが好ましい。
【００６８】
図８に示すように、スリットＳｔから筐体６１内に入り第１反射ミラー５１の端面方向に進む迷光８２ａについては、第１の遮光部８１ａが遮ることになる。第１反射ミラー５１の端面と第１の遮光部８１ａの先端部との間には間隙が設けられており、この間隙は例えば０．２ｍｍ程度と十分に狭隘であり、第１反射ミラー５１の端面にある程度の角度をもって入射する光が通過することは困難である。しかし、第１反射ミラー５１の端面に平行な方向に進む迷光８２ｂが存在する場合には、迷光８２ｂは間隙を通過して第３反射ミラー５３方向に進んでしまう。
【００６９】
本実施の形態では、第２の遮光部８１ｂを嵌合溝６２ａに一体形成し、間隙と前記第２反射ミラーの反射面との間に設けている。したがって、間隙を通過して第３反射ミラー５３方向に進行する迷光８２ｂが存在する場合にも、第２の遮光部８１ｂによって迷光８２ｂを遮ることができ、第３反射ミラー５３で迷光８２ｂが反射されてＣＣＤ４７まで到達してしまうことを防止できる。
【００７０】
このように第２実施形態では、第１反射ミラー５１の端面と第１の遮光部８１ａとが間隙を有して対向している。したがって、反射面側での読取光のケラレを防止しつつ第１反射ミラー５１の端面から迷光８２ａが入り込むことを抑制できる。また、装置に衝撃が加わった時や熱によってフレームが変形した場合にも、第１反射ミラー５１の変形や脱落を規制し、第１反射ミラー５１の光軸ずれを防止できる。また、間隙と第３反射ミラー５３との間に第２の遮光部８１ｂが設けられているため、間隙を通過した迷光８２ｂをも効果的に遮り、ＣＣＤ４７に到達する迷光をより一層防止できる。これにより、フレームとミラーとの干渉による光軸ずれやミラー反射面側での読取光のケラレを防止しつつ、十分に迷光を防止することが可能な画像読取り装置及び画像形成装置を提供できる。
【００７１】
（第３実施形態）
第２の遮光部８１ｂを延伸させる方向としては、鉛直下方に限定されず、例えば第１反射ミラー５１の背面側に平行な方向に延伸して形成しても良い。この場合にも、第２の遮光部８１ｂのリブ形状の高さとしては、少なくとも、第１反射ミラー５１と第１の遮光部８１ａの間隙から第３反射ミラー５３とを結ぶ直線を遮る程度の高さを有し、第３反射ミラー５３から第４反射ミラー５４に反射される読取光の光路を遮らない高さの範囲とする。
【００７２】
以上、添付図面を参照しながら本発明の好適な実施形態及び変形例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００７３】
１  画像形成装置
２  画像読取り装置
３  原稿搬送装置
４  印刷部
５  給紙カセット
１１  光走査装置
１２  現像装置
１３  感光体ドラム
１４  ドラムクリーニング装置
１５  帯電器
１７  定着装置
２１  中間転写ベルト
２６  ２次転写装置
４３  走査ユニット
４６  結像レンズ
４７  ＣＣＤ（読取り部）
５１〜５５  第１〜第５反射ミラー
６１  筐体
６２  蓋状保持部材（保持部材）
６２ａ  嵌合溝
６３  ＣＣＤ基板
６４  ＬＥＤ基板（基板）
７１  導光部材
７２  ＬＥＤ（発光素子）
８１ａ  第１の遮光部
８１ｂ  第２の遮光部
８２ａ、８２ｂ  迷光
Ｓｔ  スリット
【図１】
0006355446.tif 000002
【図２】
0006355446.tif 000003
【図３】
0006355446.tif 000004
【図４】
0006355446.tif 000005
【図５】
0006355446.tif 000006
【図６】
0006355446.tif 000007
【図７】
0006355446.tif 000008
【図８】
0006355446.tif 000009